(57)【要約】【課題】遊技機の発射装置における杵先と発射レール（遊技球）との芯出し精度を、容易且つ迅速に検査可能な遊技機の発射装置検査治具を得る。【解決手段】発射装置検査治具１０では、打球面１１２で反射された光と目盛１８で反射された光のうちで、カット面２２に入射する光が、カット面２２で９０°光路を曲げられて遊技盤５２の正面に出射する。これにより、杵先１１０の打球面１１２の映像１１８と目盛１８の映像１２０とを、同時に遊技盤５２の正面から観察することができる。そして、目盛１８がプリズム本体１２の軸線と同心状で且つ等間隔に複数形成されているので、目盛１８と打球面１１２との芯出しのズレを目視により定量的に観察することができる。これにより、パチンコ球１０２と杵先１１０との芯ズレを容易に修正することができる。【選択図】    図８
2004154414.tif 000002
【特許請求の範囲】
【請求項１】
所定の発射位置に保持された遊技球に衝突して前記遊技球を発射する杵先と、前記杵先との衝突により発射された前記遊技球を遊技盤側へ案内する発射レールと、を有する発射装置を備えた遊技機に適用される発射装置検査治具において、
前記所定の発射位置に保持された前記遊技球と同等に前記発射レール上で位置決め可能とされた本体と、
前記本体に設けられ、前記本体が前記発射レール上で位置決めされた状態において少なくとも前記杵先の側からの光を前記遊技球の発射方向とは異なる角度で出射する光出射面と、
前記杵先の側から前記本体に入射し前記光出射面から出射する前記光の光路に設けられ、前記杵先と前記発射レールとの相対位置の計測基準が表記された指標部と、
を備えたことを特徴とする遊技機の発射装置検査治具。
【請求項２】
前記本体は、一端に前記杵先に当接する平面状の基端面を有すると共に光を透過するプリズムとされ、
前記光出射面は、前記プリズムの前記基端面とは反対側の端部に前記基端面に対して傾斜して設けられたカット面とされる、
ことを特徴とする請求項１記載の遊技機の発射装置検査治具。
【請求項３】
前記カット面は、前記基端面に対して４５°傾斜している、ことを特徴とする請求項２記載の遊技機の発射装置検査治具。
【請求項４】
前記指標部は、前記基端面に設けられた目盛とされる、
ことを特徴とする請求項２記載又は請求項３記載の遊技機の発射装置検査治具。
【請求項５】
前記プリズムは、前記遊技球の直径と同じ直径の円柱形である、ことを特徴とする請求項２記載乃至請求項４記載の遊技機の発射装置検査治具。
【請求項６】
前記発射装置は、前記遊技球の外周の一部に接触して前記遊技球を所定の発射位置に保持する遊技球止を有し、
前記プリズムは、前記遊技球止に接触する球面部を有し、前記球面部は前記プリズムの軸線上で且つ前記遊技球の半径と同寸法前記基端面から前記カット面の方向に離れた位置に中心があり、前記遊技球の半径と同じ半径の球面状に形成されている、
ことを特徴とする請求項２記載乃至請求項５記載の遊技機の発射装置検査治具。
【発明の詳細な説明】
【０００１】
【発明の属する技術分野】
本発明は、パチンコ機等の遊技機に適用される発射装置検査治具に関する。
【０００２】
【従来の技術】
パチンコ機では、一般に、遊技盤の右下部に設けられた発射装置から遊技球が発射され、この遊技球は、遊技盤に固定された発射レール及びガイドレールに沿って遊技盤面上に打ち出される。
【０００３】
従来、この発射装置において、遊技球を打ち出す技術として、発射レールの端部で遊技球を止め、発射レールとは別体のソレノイドに設けられたプランジャー先端に設けられた杵先で打球するものが知られている。
【０００４】
上記構成の発射装置では、遊技球の打球精度は、杵先と遊技球との芯出し精度（杵先に対する発射レールの相対位置の精度）に依存しており、杵先と遊技球との芯出しのズレが微細であったとしても、球飛びのバラツキに大きな影響を与えることがある。このため、パチンコ機の製造段階で、部品の加工精度及び組付精度を適切な範囲内に維持することにより、遊技球の打球精度を保証することが行われている。
【０００５】
しかしながら、遊技場での長期間の使用あるいはレールの清掃等によって、杵先に対する発射レールの相対位置の精度が崩れるような事態が発生すると、製造段階で調整された精度であるが故に、設備や治具が無い遊技場ではその修復が難しいという問題があった。
【０００６】
このため、遊技場で使用中に打球精度が崩れた遊技機は、発射装置の打球精度に関わる数個の部品を順次新品（良品）に交換することが行われている。しかしながら、この交換作業には、関連部品を交換して、交換した部品毎に実射試験を行い、打球精度の良否を確認して、不具合部品がある場合には更に新品に交換する、という一連の作業が必要であるため、修復に時間が掛かるという問題があった。
【０００７】
一方で、発射レールの所定位置に発射レールの角度調節具を設けることにより、発射レールの傾動を調節可能とした遊技機がある（例えば、特許文献１参照。）。しかしながら、発射レールの調整には時間が掛かり、調整しても杵先の先端にはブレがあるため頻繁に調整する必要がある。
【０００８】
このため、このような調整作業をできるだけ迅速に行うために、杵先と発射レール（遊技球）との芯出しのズレを検査する治具が使用されている。この治具は円柱形であり、ガラスや樹脂等の透明な材料で形成されている。また、この治具は直径が遊技球の直径と同寸法とされており、発射レールのＶ字溝に沿って載置される。この治具の杵先との対向面の軸芯には、杵先が収容可能な円溝が設けられており、この円溝に杵先が収容されれば、杵先と遊技球の芯が出ていることになる。
【０００９】
ところで、杵先が円溝に収容されるか否かは、杵先の円溝が形成された端面とは反対側の端面から観察することになる。すなわち、遊技盤面に平行な方向から目視によって観察する必要がある。しかしながら、遊技盤の前面側（遊技盤に垂直な方向）で検査作業をする検査者にとっては、遊技盤自体が障害になるので、杵先の端面を検査者が正面から観察することは難しい。このため、検査作業が煩雑となるという問題があった。
【００１０】
また、杵先の調整の度に治具を取り外さなければならないが、治具の円溝を杵先に収容する構造であるので、治具を杵先から引き抜いて取り外す必要がある。この取り外し作業も検査作業が煩雑となる要因になっている。
【００１１】
【特許文献１】
特開平１１−２３９６３５号公報
【００１２】
【発明が解決しようとする課題】
本発明は上記事実を考慮して、遊技機の発射装置における杵先と発射レール（遊技球）との芯出し精度を、容易且つ迅速に検査可能な遊技機の発射装置検査治具を得ることが目的である。
【００１３】
【課題を解決するための手段】
上記目的を達成するために、請求項１記載の発明に係る遊技機の発射装置検査治具は、所定の発射位置に保持された遊技球に衝突して前記遊技球を発射する杵先と、前記杵先との衝突により発射された前記遊技球を遊技盤側へ案内する発射レールと、を有する発射装置を備えた遊技機に適用される発射装置検査治具において、前記所定の発射位置に保持された前記遊技球と同等に前記発射レール上で位置決め可能とされた本体と、前記本体に設けられ、前記本体が前記発射レール上で位置決めされた状態において少なくとも前記杵先の側からの光を前記遊技球の発射方向とは異なる角度で出射する光出射面と、前記杵先の側から前記本体に入射し前記光出射面から出射する前記光の光路に設けられ、前記杵先と前記発射レールとの相対位置の計測基準が表記された指標部と、を備えたことを特徴としている。
【００１４】
請求項１記載の遊技機の発射装置検査治具では、本体は、所定の発射位置に保持された遊技球と同等に発射レール上に位置決めされる。この位置決めされた状態においては、本体が杵先（詳細には、遊技球と衝突する杵先の先端部）と対向することになる。そして、少なくとも杵先の側から本体に入射した光は、遊技球の発射方向（遊技盤に沿った方向）とは異なる角度で光出射面から出射する。したがって、杵先で反射された反射光も、本体に入射して遊技盤に沿った方向とは異なる角度で光出射面から出射する。これにより、光出射面から出射する光の出射方向を遊技盤の前面側に向けておけば、遊技盤の前面側から杵先を容易に観察することができる。
【００１５】
さらにここで、杵先の側から本体に入射して光出射面から出射する光の光路には、杵先と発射レールとの相対位置の計測基準が表記された指標部が設けられているため、光出射面から遊技盤の前面側に出射する光によって、遊技盤の前面側から指標部も観察することができる。したがって、指標部に表記された計測基準と杵先とを、遊技盤の前面側から定量的に観察することができる。これにより、杵先と発射レールとの芯出しの精度を容易且つ迅速に検査することが可能となり、遊技球と杵先との芯ズレを容易に修正することができる。
【００１６】
このように、請求項１記載の遊技機の発射装置検査治具では、遊技機の発射装置における杵先と発射レール（遊技球）との芯出し精度を、容易且つ迅速に検査することができる。
【００１７】
請求項２記載の発明に係る遊技機の発射装置検査治具は、請求項１記載の遊技機の発射装置検査治具において、前記本体は、一端に前記杵先に当接する平面状の基端面を有すると共に光を透過するプリズムとされ、前記光出射面は、前記プリズムの前記基端面とは反対側の端部に前記基端面に対して傾斜して設けられたカット面とされる、ことを特徴としている。
【００１８】
請求項２記載の遊技機の発射装置検査治具では、本体がプリズムとされる。プリズムは、例えば、ガラスや樹脂等の透明な材料で形成されており、光学的な機能を備えている。ここで、杵先と発射レールとの芯出し精度の検査の際には、プリズムが基端面を杵先と対向させる方向で発射レール上に位置決めされる。そして、杵先がプリズムの方向に移動されることで杵先が基端面に当接する。
【００１９】
一方、このプリズムの基端面とは反対側の端部には、光出射面とされるカット面が基端面に対して傾斜して設けられている。したがって、プリズムに入射した光のうちで、杵先の側（基端面の側）からカット面に入射する光は、カット面から遊技球の発射方向（遊技盤に沿った方向）とは異なる角度で出射する。すなわち、カット面に入射する光は、カット面に対する入射角と出射角とが同一となる角度の出射方向に出射する。これにより、カット面から出射する光の出射方向が遊技盤の前面側に向けられていれば、遊技盤の前面側から杵先を容易に観察することができる。
【００２０】
さらに、杵先の側からプリズムに入射してカット面から出射する光の光路には、杵先と発射レールとの相対位置の計測基準が表記された指標部が設けられているため、カット面から遊技盤の前面側に出射する光によって、遊技盤の前面側から指標部も観察することができる。したがって、指標部に表記された計測基準と杵先とを、遊技盤の前面側から定量的に観察することができる。これにより、杵先と発射レールとの芯出しの精度を容易且つ迅速に検査することが可能となり、遊技球と杵先との芯ズレを容易に修正することができる。
【００２１】
このように、請求項２記載の遊技機の発射装置検査治具では、遊技機の発射装置における杵先と発射レール（遊技球）との芯出し精度を、容易且つ迅速に検査することができる。
【００２２】
請求項３記載の発明に係る遊技機の発射装置検査治具は、請求項２記載の遊技機の発射装置検査治具において、前記カット面は、前記基端面に対して４５°傾斜している、ことを特徴としている。
【００２３】
請求項３記載の遊技機の発射装置検査治具では、  カット面が基端面に対して４５°傾斜して設けられている。したがって、杵先の側（基端面の側）からカット面に入射する光のうちで、カット面に４５°の入射角で入射する光は、出射角も４５°となる。すなわち、杵先の側（基端面の側）からカット面に４５°の入射角で入射する光は、カット面で９０°光路を曲げられて（屈折して）出射する。これにより、カット面から出射する光の出射方向を遊技盤の正面に向けることが可能となり、遊技盤の正面から杵先を観察することができる。その結果、杵先と発射レールとの芯出しの精度を更に容易且つ迅速に検査できる。
【００２４】
このように、請求項３記載の遊技機の発射装置検査治具では、遊技機の発射装置における杵先と発射レール（遊技球）との芯出し精度を、更に容易且つ迅速に検査することができる。
【００２５】
請求項４記載の発明に係る遊技機の発射装置検査治具は、請求項２記載又は請求項３記載の遊技機の発射装置検査治具において、前記指標部は、前記基端面に設けられた目盛とされる、ことを特徴としている。
【００２６】
請求項４記載の遊技機の発射装置検査治具では、指標部とされる目盛が、杵先と当接するプリズムの基端面に設けられている。したがって、カット面から出射する光によって、杵先と目盛とのズレを遊技盤の前面側から目視により定量的に観察することができる。これにより、杵先と発射レール（遊技球）との芯出し精度を正確に測定することができる。
【００２７】
また、プリズムの一端に平面状にある基端面に目盛（例えば、溝を施して黒く墨入れした目盛）を設けることは製造上容易である。
【００２８】
このように、請求項４記載の遊技機の発射装置検査治具では、遊技機の発射装置における杵先と発射レール（遊技球）との芯出し精度を正確に測定することができ、且つ製造が容易で低コストとなる。
【００２９】
請求項５記載の発明に係る遊技機の発射装置検査治具は、請求項２記載乃至請求項４記載の遊技機の発射装置検査治具において、前記プリズムは、前記遊技球の直径と同じ直径の円柱形である、ことを特徴としている。
【００３０】
請求項５記載の遊技機の発射装置検査治具では、プリズムが、遊技球の直径と同じ直径の円柱形とされている。これにより、プリズムが発射レール上に位置決めされる際に、発射レール上に置かれるだけで、プリズムの軸線と、発射レールの遊技球の案内方向とが一致する。
【００３１】
そして、円柱形のプリズムの軸線と杵先の軸線とが一致していれば（円形の基端面の中心に杵先があれば）遊技球と杵先との芯が一致することになる。これにより、目視によって、より正確に杵先と発射レールとの芯出しのズレを観察することができる。
【００３２】
このように、請求項５記載の遊技機の発射装置検査治具では、遊技機の発射装置における杵先と発射レール（遊技球）との芯出し精度を、更に容易且つ迅速に検査することができる。
【００３３】
請求項６記載の発明に係る遊技機の発射装置検査治具は、請求項２記載乃至請求項５記載の遊技機の発射装置検査治具において、前記発射装置は、前記遊技球の外周の一部に接触して前記遊技球を所定の発射位置に保持する遊技球止を有し、前記プリズムは、前記遊技球止に接触する球面部を有し、前記球面部は前記プリズムの軸線上で且つ前記遊技球の半径と同寸法前記基端面から前記カット面の方向に離れた位置に中心があり、前記遊技球の半径と同じ半径の球面状に形成されている、ことを特徴としている。
【００３４】
請求項６記載の遊技機の発射装置検査治具では、球面部はプリズムの軸線上で且つ遊技球の半径と同寸法基端面からカット面の方向に離れた位置に中心があり、遊技球の半径と同じ半径の球面状とされている。すなわち、プリズムが発射レール上に位置決めされる際に、発射レール上にプリズムが置かれて、遊技球止に球面部が接触すると、基端面のプリズム軸線方向（杵先の移動方向）の位置は、所定の発射位置に保持された遊技球が杵先と衝突する位置と一致する。これにより、遊技球が杵先に打たれる所定の発射位置での、杵先と遊技球との芯ズレを正確に観察することができる。
【００３５】
このように、請求項６記載の遊技機の発射装置検査治具では、遊技機の発射装置における杵先と遊技球との芯出し精度を、更に正確に検査できる。
【００３６】
【発明の実施の形態】
図４には、本発明の実施の形態に係る発射装置検査治具１０が適用される遊技機としてのパチンコ機５０が正面図により示されている。
【００３７】
パチンコ機５０は、遊技盤５２を備えている。この遊技盤５２における円弧状のガイドレール５４で囲まれた領域が遊技領域５６とされる。遊技盤５２の前面側には、窓部５８を有して額縁状とされた前枠６０の一端部が外枠６２に開閉可能に蝶着されている。この窓部５８にはガラス（図示省略）が装着されている。窓部５８の下方位置には、打球供給皿６４が一側部を前枠６０に固定されて設けられている。打球供給皿６４の下方位置には、打球供給皿６４の余剰球を受け入れる下部貯留皿６６が設けられている。下部貯留皿６６の前面右側部には、後述する発射装置１００により遊技領域５６に打ち込む打球の飛距離を調節するための発射ハンドル６８が設けられている。
【００３８】
図５には、前枠６０が開放された状態の、発射装置１００を含む周辺の構造が正面図により示されている。
【００３９】
発射装置１００は遊技領域５６の下方に配置されている。この発射装置１００は、遊技球としてのパチンコ球１０２を所定の打球力で打ち出すソレノイド１０４と、打ち出されたパチンコ球１０２をガイドレール５４へ送り出す発射レール１０６とを備えている。
【００４０】
ソレノイド１０４は、パチンコ機５０の本体に固定された略平板状のブラケット１０８の右側部分にネジ（図示省略）によって固定されており、発射レール１０６のパチンコ球１０２の案内方向に沿って伸縮するプランジャ１０４Ａを有する。
【００４１】
このプランジャ１０４Ａの先端部には、合成樹脂で略円柱状に形成された杵先１１０が取り付けられている。杵先１１０の先端面は、パチンコ球１０２と衝突して、パチンコ球１０２を発射する打球面１１２とされる。
【００４２】
ブラケット１０８の左側部分には、発射レール１０６が設けられている。発射レール１０６は、ステンレス等の帯状の金属板により形成されており、図９に示すように、レール面１０６Ａと、レール面１０６Ａの幅方向両端部が直角に曲げられて形成された取付面１０６Ｂと、で構成されている。レール面１０６Ａには、発射されたパチンコ球１０２を遊技盤５２側へ案内する案内溝とされるＶ字溝１０７が形成されており、発射レール１０６は、断面略Ｍ字状とされている。発射レール１０６は、杵先１１０の打球面１１２の前方で且つプランジャ１０４Ａの伸縮方向に沿った向きで、ブラケット１０８にネジ（図示省略）によって取付けられている。杵先１１０と発射レール１０６との相対位置は、ネジ（図示省略）を緩めることによって、調節できるようになっている。
【００４３】
また、この発射レール１０６の基端部側（ソレノイド１０４側）には、パチンコ球を１個ずつ発射レール１０６に送り込むためのシューター１１４が設けられている。シューター１１４は、略Ｓ字状にカーブした筒構造であり、前記打球供給皿６４に貯留されたパチンコ球１０２を一列に整列させる役目を有している。
【００４４】
このシューター１１４によって発射レール１０６の基端部に送り込まれたパチンコ球１０２は、図６に示すように、発射レール１０６の基端部上方に設けられた略三角柱状の遊技球止１１６に、外周の一部が接触することで所定の発射位置に保持される。遊技球止１１６は、ブラケット１０８に一端が固定されている。この所定の発射位置に保持されたパチンコ球１０２は、前記杵先１１０の打球面１１２と対向することになる。この状態で、プランジャ１０４Ａを引き込み状態から伸び出し状態とすることで、杵先１１０の打球面１１２がパチンコ球１０２と衝突して、パチンコ球１０２が発射される構造である。
【００４５】
次に、発射装置検査治具１０について詳細に説明する。図１には、発射装置検査治具１０が側面図により示されている。また、図２には、発射装置検査治具１０が正面図により示されている。そして、図３には、発射装置検査治具１０が端面図により示されている。
【００４６】
発射装置検査治具１０は、本体とされるプリズム１２を備えている。プリズム１２は透明ガラスにより円柱形に形成されており、直径はパチンコ球１０２と同寸法（具体的には１１ミリ）とされている。
プリズム１２の基端部（図１の矢印Ａ方向の端部）には、ゲージ部１４が設けられている。ゲージ部１４は、直径が杵先１１０の打球面１１２の直径よりも大きく、プリズム１２の直径よりも小さい短円柱状とされており、プリズム１２の軸線と同心状にある。
【００４７】
ゲージ部１４の基端面１６は、プリズム１２の軸線に直角に形成されて研磨仕上げされており、図３に示すように、指標部となる目盛１８が施されている。目盛１８は円形の溝であり、プリズム１２の軸線と同心状で且つ等間隔に複数形成されている。また、目盛１８の溝内は、黒く墨入れされており、目視により明確に確認できるようになっている。この目盛１８が施された基端面１６は、杵先１１０の打球面１１２と当接する。この当接した状態で、目盛１８は杵先１１０と発射レール１０６との相対位置の計測基準となる。
【００４８】
ゲージ部１４の外周とプリズム１２の外周とは、球面部２０により球面状に連続している。球面部２０は、半径がパチンコ球１０２の半径（具体的には５．５ミリ）と同じで、中心がプリズム１２の軸線上で、且つ基端面１６からパチンコ球１０２の半径分離れた位置にある球面である。球面部２０は、プリズム１２が発射レール１０６に沿って載置される際に、遊技球止１１６と接触して、基端面１６（プリズム１２）の発射レール１１６に対する相対位置を制限する。
【００４９】
図１に示すように、プリズム１２の先端部（図１の矢印Ａと反対側の端部）には、基端面１６に対して４５°傾斜して形成されて光出射面とされるカット面２２が設けられている。カット面２２の表面は研磨仕上されており、プリズム１２の内部を先端側方向（図１の矢印Ａと反対方向）に向かう光のうちで、少なくともカット面２２に４５°の入射角で入射した光は、出射角４５°で光出射面２２から出射するようになっている。すなわち、基端面１６の側（杵先１１０の側）からカット面２２に４５°の入射角で入射する光は、カット面２２で９０°光路を曲げられて（屈折して）出射する。
【００５０】
次に、本実施の形態の作用について説明する。
【００５１】
上記構成の発射装置検査治具１０では、杵先１１０と発射レール１０６との芯出し精度の検査の際には、図７及び図８に示すように、プリズム１２が、基端面１６を杵先１１０の打球面１１２と対向させる方向で、発射レール１０６上に位置決めされる。このとき、プリズム１２の直径がパチンコ球１０２の直径と同寸法とされているので、プリズム１２が発射レール１０６に形成されたＶ字溝１０７に沿わせて載置されるだけで、プリズム１２の軸線とＶ字溝１０７のパチンコ球１０２の案内方向とが一致する。そして、Ｖ字溝１０７上に載置されたプリズム１２を、杵先１１０の方向にスライドさせて遊技球止１１６に球面部２０を接触させると、基端面１６の発射レール１０６に対する相対位置は、パチンコ球１０２と杵先１１０とが衝突する位置と一致する。これにより、プリズム１２が発射レール上に位置決めされた状態となる。そして、杵先１１０がプリズム１２の方向に移動されることで（例えば、ソレノイド１０４のプランジャー１０４Ａが指等で引き出されることで）、杵先１１０の打球面１１２が基端面１６に当接する。基端面１６はプリズム１２の軸線に直角に形成されているので、杵先１１０の打球面１１２に密着する。
【００５２】
一方、このプリズム１２の基端面１６と反対側の先端部には、基端面１６に対してカット面２２が４５°傾斜して形成されている。このため、杵先１１０の側（基端面１６の側）からカット面２２に入射する光のうちで、カット面２２に４５°の入射角で入射する光は、出射角も４５°となる。すなわち、杵先１１０の側（基端面１６の側）からカット面に４５°の入射角で入射する光は、カット面２２で９０°光路を曲げられて（屈折して）出射する。これにより、カット面２２から出射する光の出射方向が遊技盤５２の前面側に向けられていれば、遊技盤５２の正面から杵先１１０の打球面１１２を観察することができる。
【００５３】
ここで、プリズム１２の目盛１８が施された基端面１６は、杵先１１０の打球面１１２と密着している。このため、プリズム１２に入射して打球面１１２で反射された光と目盛１８で反射された光のうちで、カット面２２に入射する光が、カット面２２で９０°光路を曲げられて遊技盤５２の正面（遊技盤５２に垂直な方向）に出射する。これにより、図８に示すように、杵先１１０の打球面１１２の映像１１８と目盛１８の映像１２０とを、同時に遊技盤５２の正面から観察することができる。
【００５４】
さらにここで、プリズム１２の直径が、パチンコ球１０２の直径と同寸法とされているので、プリズム１２の軸心と杵先１１０の軸心とが一致していれば、パチンコ球１０２と杵先１１０との芯が一致することになる。そして、目盛１８がプリズム１２の軸線と同心状で且つ等間隔に複数形成されているので、打球面１１２と目盛１８との芯出しのズレを、打球面１１２の映像１１８と目盛１８の映像１２０とによって、定量的に観察することができる。これにより、発射装置１００の調整結果を容易且つ迅速に検査することが可能となる。その結果、パチンコ球１０２と杵先１１０との芯ズレを容易に修正することができる。
【００５５】
また、球面部２０により、基端面１６のプリズム１２の軸線方向（プランジャ１０４Ａの伸縮方向）の位置は、所定の発射位置に保持されたパチンコ球１０２が杵先１１０の打球面１１２と衝突する位置と一致する。これにより、パチンコ球１０２が杵先１１０に打たれる所定の発射位置における、杵先１１０とパチンコ球１０２との芯ズレを正確に観察することができる。
【００５６】
なお、カット面２２の断面形状は楕円形であるが、カット面２２が基端面１６に対して４５°傾斜しているので、遊技盤５６の正面（プリズム本体１２の軸線と直交する方向）からカット面２２を見ると真円形に見える。また、カット面２２に入射する光の入射角と反射角とが同一となるので、遊技盤５６の正面から観察される打球面１１２の映像１１８と目盛部１８の映像１２０とは、歪むこと無く実物大となる。
【００５７】
このように、上記構成の発射装置検査治具１０では、パチンコ機５０の発射装置１００における杵先１１０と発射レール１０６（パチンコ球１０２）との芯出し精度を、容易且つ迅速且つ正確に検査することができる。
【００５８】
なお、本発明は上記の実施の形態に限られるものではなく、種々の形態が可能である。例えば、上記実施の形態においては、杵先１１０は合成樹脂により略円柱状に形成されたものであったが、本発明はこれに限定されず、例えば、杵先は、図１０に示すような、軸１５０とコイルバネ１５２とで構成されたものであっても構わない。
【００５９】
また、上記実施の形態においては、発射装置１００は、ソレノイド１０４のプランジャ１０４Ａの伸縮よって、杵先１１０を駆動する構成であったが、本発明はこれに限定されず、例えば、発射装置は、基端が遥動可能に固定されたアームの先端に杵先を固定すると共に、交流モーターに取り付けられたカムにより、そのアームを遥動させて杵先を駆動する構成のものでも構わない。
【００６０】
さらに、上記実施の形態においては、本体とされるプリズム１２が円柱形に形成され、その一端が基端面１６、他端がカット面２２とされる構成であったが、本発明はこれに限定されず、例えば、図１１に示す発射装置検査治具２００のような構成であっても良い。
【００６１】
この発射装置検査治具２００は、本体が筒状の筒部材２０２とされる。筒部材２０２は、外径が遊技球の直径と同寸法とされると共に底壁２０４を有する有底筒である。筒部材２０２の、少なくとも底壁２０４は透明な材料で形成されている。底壁２０４の外側の面は、杵先１１０に当接する基端面２０６とされており、基端面２０６には、指標部とされる目盛（図示省略）が形成されている。また、筒部材２０２の基端面２０６と反対側の端部には、光出射面とされる鏡２０８の鏡面２１０が基端面２０６に対して４５°傾斜して設けられている。そして、基端面２０６の側から鏡面２１０に入射した光の出射方向には、孔２１２が設けられている。孔２１２は筒部材２０２の周壁が壁厚方向に貫通した孔である。
【００６２】
上記構成の発射装置検査治具２００では、発射装置検査治具２００が発射レール上に位置決めされると、杵先１１０により反射された光と目盛により反射された光が鏡面２１０に入射し、９０°光路を曲げられて（反射されて）出射する。これにより、鏡面２１０が遊技盤の前面側に向けられていれば、遊技盤の正面から杵先１１０と目盛とを定量的に観察することができる。
【００６３】
またさらに、上記構成の発射装置検査治具２００では、指標部とされる目盛が基端面２０６に設けられているが、鏡２０８の鏡面２１０に設けられる構成であっても良い。
【００６４】
また、上記構成の発射装置検査治具２００では、筒部材２０２が底壁２０４を有する構成であるが、筒部材が、所定の発射位置に保持された遊技球と同等に発射レール上に位置決め可能であれば、本体２０２は底壁２０４の無い筒状の部材とされても構わない。
【００６５】
【発明の効果】
以上説明したように、本発明の遊技機の発射装置検査治具によれば、遊技機の発射装置における杵先と発射レール（遊技球）との芯出し精度を、容易且つ迅速に検査することができる。
【図面の簡単な説明】
【図１】本発明の実施の形態に係る遊技機の発射装置検査治具を示す側面図である。
【図２】本発明の実施の形態に係る遊技機の発射装置検査治具を示す正面図である。
【図３】本発明の実施の形態に係る遊技機の発射装置検査治具を示す端面図である。
【図４】本発明の実施の形態に係る遊技機の発射装置検査治具が適用されるパチンコ機を示す正面図である。
【図５】本発明の実施の形態に係る遊技機の発射装置検査治具が適用されるパチンコ機の発射装置を含む周辺の構成を示す正面図である。
【図６】本発明の実施の形態に係る遊技機の発射装置検査治具が適用されるパチンコ機の発射装置を示す正面概略図である。
【図７】本発明の実施の形態に係る遊技機の発射装置検査治具の使用状態を示す側面概略図である。
【図８】本発明の実施の形態に係る遊技機の発射装置検査治具の使用状態を示す正面概略図である。
【図９】本発明の実施の形態に係る遊技機の発射装置検査治具の使用状態を示す端面概略図である。
【図１０】本発明の実施の形態に係る遊技機の発射装置検査治具が適用されるパチンコ機の発射装置の他の例を示す側面概略図である。
【図１１】本発明の実施の形態に係る遊技機の発射装置検査治具の他の例を示す側面図である。
【符号の説明】
１０          発射装置検査治具（遊技機の発射装置検査治具）
１２            プリズム（本体）
１６            基端面
１８            目盛（指標部）
２０            球面部
２２            カット面（光出射面）
５０            パチンコ機（遊技機）
５２            遊技盤
１００        発射装置
１０２        パチンコ球（遊技球）
１０６        発射レール
１１０        杵先
１１６        遊技球止
【図１】
2004154414.tif 000003
【図２】
2004154414.tif 000004
【図３】
2004154414.tif 000005
【図４】
2004154414.tif 000006
【図５】
2004154414.tif 000007
【図６】
2004154414.tif 000008
【図７】
2004154414.tif 000009
【図８】
2004154414.tif 000010
【図９】
2004154414.tif 000011
【図１０】
2004154414.tif 000012
【図１１】
2004154414.tif 000013